(57)【要約】本発明に係るプラズマ照明装置の冷却構造は、外部空気をケースの内部に流入させて前記ケース内部の各発熱部品を冷却するための少なくとも２つの吐出口を有し、前記各吐出口の吐出流量が互いに異なるように形成されるファンハウジングを含むことにより、マグネトロンなどの高熱発生部品を効果的に集中冷却して部品の寿命を延長し、システムの性能を向上することができるという効果を提供する。
2006511043.tif 000002
【特許請求の範囲】
【請求項１】
外部空気をケースの内部に流入させて前記ケース内部の各発熱部品を冷却するための少なくとも２つの吐出口を有し、前記各吐出口の吐出流量が互いに異なるように形成されるファンハウジングを含むことを特徴とする、プラズマ照明装置の冷却構造。
【請求項２】
前記ファンハウジングの吐出口に、前記各発熱部品側に吐出空気を案内する複数の延長ダクトが備えられることを特徴とする、請求項１に記載のプラズマ照明装置の冷却構造。
【請求項３】
前記複数の延長ダクトの少なくとも何れか１つの延長ダクトが、前記各発熱部品のうち、少なくとも２つの特定部品をそれぞれ集中冷却できるように、少なくとも２つの排出口からなる分配ダクトであることを特徴とする、請求項２に記載のプラズマ照明装置の冷却構造。
【請求項４】
前記分配ダクトが連結された吐出口の吐出流量が、前記ファンハウジングの他の吐出口の吐出流量より大きいことを特徴とする、請求項３に記載のプラズマ照明装置の冷却構造。
【請求項５】
前記分配ダクトの排出口は、排出流量が互いに異なるように形成されることを特徴とする、請求項３に記載のプラズマ照明装置の冷却構造。
【請求項６】
前記ケース内部の一側にマイクロ波発生器及び電球モータが位置し、他側に高圧発生器が位置する場合、前記マイクロ波発生器及び電球モータが位置する側に向かう吐出口の吐出流量が前記高圧発生器が位置する側に向かう吐出口の吐出流量より大きいことを特徴とする、請求項１に記載のプラズマ照明装置の冷却構造。
【請求項７】
前記マイクロ波発生器及び電球モータが位置する側に向かう吐出口に、前記マイクロ波発生器及び電球モータをそれぞれ集中冷却できるように、２つの排出口からなる分配ダクトが連結されることを特徴とする、請求項６に記載のプラズマ照明装置の冷却構造。
【請求項８】
前記ケースが、後面に外部空気が流入するように前記ファンハウジングが位置し、前面に発熱部品を冷却させた空気が排出されるケース排出口が形成されることを特徴とする、請求項１に記載のプラズマ照明装置の冷却構造。
【請求項９】
前記ケース排出口に、ラウンド状の排出案内部材が形成されることを特徴とする、請求項８に記載のプラズマ照明装置の冷却構造。
【請求項１０】
前記ケースが、内部ケースと外部ケースとからなる二重円筒構造を有し、前記ファンハウジングにより流動する外部空気が、前記内部ケースの後面から流入し、該内部ケースの内部を通過して前記外部ケースの内部に流動した後、該外部ケースの後面の排出口から排出されるように構成されることを特徴とする、請求項１に記載のプラズマ照明装置の冷却構造。
【請求項１１】
前記ケースの外側面には、前記ケースに連結されて該ケースの内部を通過した空気を排出する複数の排出ダクトが備えられることを特徴とする、請求項１に記載のプラズマ照明装置の冷却構造。
【請求項１２】
前記ケースが、前記排出ダクトの前方部分に連通する第１排出口を有することを特徴とする、請求項１１に記載のプラズマ照明装置の冷却構造。
【請求項１３】
前記ケースが、前記排出ダクトの中間部分に連通する第２排出口をさらに有することを特徴とする、請求項１２に記載のプラズマ照明装置の冷却構造。
【請求項１４】
前記排出ダクトが、後方部分に第１排出口を有し、側面に第２排出口を有することを特徴とする、請求項１１に記載のプラズマ照明装置の冷却構造。
【請求項１５】
前記ケースが、前記排出ダクトの内側に突出する複数の放熱フィンを有することを特徴とする、請求項１１に記載のプラズマ照明装置の冷却構造。
【請求項１６】
前記ケースの外側面に、複数の放熱フィンが形成されることを特徴とする、請求項１１に記載のプラズマ照明装置の冷却構造。
【請求項１７】
ケース内部の各発熱部品を冷却できるように、外部空気が前記ケースの内部に流入する通路となり、少なくとも２つの吐出口を有するファンハウジングと、
前記ファンハウジングの何れか１つの吐出口から長く連結され、前記各発熱部品の少なくとも２つの部品をそれぞれ集中冷却できるように複数の排出口を有する分配ダクトと、
を含むことを特徴とする、プラズマ照明装置の冷却構造。
【請求項１８】
前記分配ダクトが、
相対的に排出流量の多い主配管と、
前記主配管から分岐される分岐配管と、
からなることを特徴とする、請求項１７に記載のプラズマ照明装置の冷却構造。
【請求項１９】
前記ケースの内部に、マイクロ波発生器と、前記マイクロ波発生器の近くに位置して電球を回転させる電球モータとが備えられ、前記主配管が前記マイクロ波発生器に向かうように形成され、前記分岐配管が前記電球モータに向かうように形成されることを特徴とする、請求項１８に記載のプラズマ照明装置の冷却構造。
【請求項２０】
各種部品が内蔵されるケースと、
前記ケースの外側面に設置されて前記ケースの内部を通過した空気を外部に排出する複数の排出ダクトと、
を含み、
前記ケースが、前記排出ダクトの前方に連通する第１排出口と、前記排出ダクトの中間部分に連通する第２排出口と、を有することを特徴とする、プラズマ照明装置の冷却構造。
【請求項２１】
前記排出ダクトが、後面に第１排出口を有し、一側面に第２排出口を有することを特徴とする、請求項２０に記載のプラズマ照明装置の冷却構造。
【請求項２２】
各種部品が内蔵されるケースと、
前記ケースの外側面に設置されて前記ケースの内部を通過した空気を排出する複数の排出ダクトと、
を含み、
前記ケースが、前記排出ダクトの内側に突出する複数の放熱フィンを有することを特徴とする、プラズマ照明装置の冷却構造。
【請求項２３】
各種部品が内蔵されるケースと、
前記ケースの外側面に設置されて前記ケースの内部を通過した空気を排出する複数の排出ダクトと、
前記ケースの外側面に形成されて前記ケース内部の熱を放熱する放熱フィンと、
を含むことを特徴とする、プラズマ照明装置の冷却構造。
【請求項２４】
前記複数の排出ダクトが、前記ケースの外周面に等間隔に配置され、前記放熱フィンが、前記排出ダクトが形成されていない部分に形成されることを特徴とする、請求項２３に記載のプラズマ照明装置の冷却構造。
【発明の詳細な説明】
【技術分野】
【０００１】
本発明は、マイクロ波を利用したプラズマ照明装置に関し、特に、内部の発熱部品を容易に冷却することができるプラズマ照明装置の冷却構造に関する。
【背景技術】
【０００２】
一般に、プラズマ照明装置は、無電極電球にマイクロ波を加え、これにより可視光線又は紫外線を得る装置であって、通常の白熱灯又は蛍光灯に比べて寿命が長く、照明の効果が優れているという特徴を有する。
【０００３】
図１は、従来のプラズマ照明装置を示す縦断面図である。
【０００４】
従来のプラズマ照明装置は、ケース１と、ケース１の内部に配設されてマイクロ波を出力するマグネトロン３と、ケース１の内部に配設されてマグネトロン３から出力されたマイクロ波を伝送する導波管５と、内部に不活性ガスＧが封入され、ケース１の前方に突出して配設されて光を発生する電球７と、導波管５の出口側に固定され、マイクロ波は遮断し光は通過させるメッシュスクリーン９と、ケース１の前面に固定されてメッシュスクリーン９の周りに位置し、電球７から発生した光を前方に反射させる反射鏡１１とを備えている。
【０００５】
ケース１の内部一側には、マグネトロン３に高圧の電力を提供するための高電圧発生器１３が配設されている。
【０００６】
導波管５の中央部には軸穴５ａが形成され、軸穴５ａには、電球７を回転させるための回転軸１０が貫通する。また、導波管５の後方には、電球７を回転させると共に冷却する、回転軸１０が結合された電球モータ８が配設される。
【０００７】
特に、ケース１の後方部分には、マグネトロン３、高電圧発生器１３、電球モータ８などを冷却するための送風装置１４が配設される。送風装置１４は、外部空気がケース１の内部に流入する通路となるファンハウジング１５と、ファンハウジング１５の内部に備えられるファン１６と、ファン１６を回転駆動させるファンモータ１７とから構成される。
【０００８】
このように構成されたプラズマ照明装置において、高電圧発生器１３に駆動信号が入力されると、高電圧発生器１３は、外部から交流電源を昇圧して昇圧された高圧をマグネトロン３に供給する。
【０００９】
マグネトロン３は、高電圧発生器１３から供給された高圧により発振すると共に非常に高い周波数を有するマイクロ波を生成し、このように生成されたマイクロ波は、導波管５を経てメッシュスクリーン９の内部に放射され、電球７の内部に封入された物質を放電させて固有の放出スペクトルを有する光を発生する。
【００１０】
このように電球７から発生した光は、反射鏡１１により前方に反射されて照明空間を照らす。
【００１１】
一方、前述したようにプラズマ照明装置が動作するとき、ファンモータ１７も共に駆動し、ファンモータ１７により駆動されるファン１６の動作により、ケース１外部の空気がファンハウジング１５の吸入口１５ａと２つの吐出口１５ｂ、１５ｂ′を経てマグネトロン３、高電圧発生器１３などを冷却した後、ケース１の前方面に形成された排出口１ａから外部に排出される。
【００１２】
しかしながら、このような従来のプラズマ照明装置においては、ファンハウジング１５に備えられた２つの吐出口１５ｂ、１５ｂ′が同一面積を有するように形成されているため、他の部分に比べて相対的に高熱を発生するマグネトロン３などを効果的に冷却できないという問題があった。
【００１３】
従って、マグネトロン３などの高熱発生部品が十分に冷却されない場合、耐久寿命が短くなるか、又は性能が顕著に低下するという問題が発生し、これを解決するために相対的に高熱が発生する部品を十分に冷却するためには、ファン６とファンモータ１７の全体的な容量をより大きく設計しなければならないという問題が発生する。
【００１４】
また、前述したような従来のプラズマ照明装置は、ケース１の後方から外部空気を吸入してケース１の前方に排出するように構成されているため、各種部品を冷却させることによって熱くなった空気が照明空間に排出されて使用者に不快感を与えるという問題があり、これを解決するためにケース１の前方から他方に排出するためには、別途の排出ダクトが必要となるという問題が発生する。
【発明の開示】
【発明が解決しようとする課題】
【００１５】
本発明は、このような従来技術の問題点を解決するためになされたもので、内蔵部品の発熱程度や設計条件によって吐出流量を異ならせることにより、不要にファンの容量を拡大することなく、マグネトロンなどの高熱発生部品を効果的に集中冷却して部品の寿命を延長し、システムの性能を向上させることができるプラズマ照明装置の冷却構造を提供することを目的とする。
【課題を解決するための手段】
【００１６】
このような目的を達成するために、本発明に係るプラズマ照明装置の冷却構造は、外部空気をケースの内部に流入させて前記ケース内部の各発熱部品を冷却するための少なくとも２つの吐出口を有し、前記各吐出口の吐出流量が互いに異なるように形成されるファンハウジングを含むことを特徴とする。
【００１７】
また、前記ファンハウジングの吐出口には、前記各発熱部品側に吐出空気を案内する複数の延長ダクトが備えられる。
【００１８】
また、前記複数の延長ダクトの少なくとも何れか１つの延長ダクトは、前記各発熱部品のうち、少なくとも２つの特定部品をそれぞれ集中冷却できるように、少なくとも２つの排出口からなる分配ダクトである。
【００１９】
本発明の一実施形態によれば、前記ケースは、後面に外部空気が流入するように前記ファンハウジングが位置し、前面に発熱部品を冷却させた空気が排出されるケース排出口が形成され、前記ケース排出口には、ラウンド状の排出案内部材が形成される。
【００２０】
本発明の他の実施形態によれば、前記ケースは、内部ケースと外部ケースとからなる二重円筒構造を有し、前記ファンハウジングにより流動する外部空気は、前記内部ケースの後面に流入し、該内部ケースの内部を通過して前記外部ケースの内部に流動した後、該外部ケースの後面の排出口から排出されるように構成される。
【００２１】
本発明のさらに他の実施形態によれば、前記ケースの外側面には、前記ケースの前後方向に長く連結されて該ケースの内部を通過した空気を後方に排出する複数の排出ダクトが備えられる。
【００２２】
ここで、前記ケースは、前記排出ダクトの前方部分に連通する第１排出口と、前記排出ダクトの中間部分に連通する第２排出口とを有する。
【００２３】
本発明のさらに他の実施形態によれば、前記排出ダクトは、後方部分に第１排出口を有し、側面に第２排出口を有する。
【００２４】
本発明のさらに他の実施形態によれば、前記ケースは、前記排出ダクトの内側に突出する複数の放熱フィンを有する。
【００２５】
本発明のさらに他の実施形態によれば、前記ケースの外側面には、複数の放熱フィンが形成される。
【発明の効果】
【００２６】
このような本発明に係るプラズマ照明装置の冷却構造は、内蔵部品の発熱程度や設計条件によって吐出流量が異なるように設定されるため、ファンの容量を拡大することなく、マグネトロンなどの高熱発生部品を効果的に集中冷却して発熱部品の寿命を延長し、システムの全体的な性能を向上させることができるという効果がある。
【００２７】
また、本発明は、ケース内部の発熱部品を冷却させた空気が該ケースの後方に排出されるように構成されるため、照明空間内に熱くなった空気が排出されず、これにより、使用者に不快感を与えることなく、使用の利便性を高めることができるという効果がある。
【発明を実施するための最良の形態】
【００２８】
以下、添付の図面を参照して、本発明に係るプラズマ照明装置の冷却構造の好ましい実施形態について説明する。
【００２９】
図２は、本発明に係るプラズマ照明装置の冷却構造の第１実施形態を示す縦断面図である。
【００３０】
図２に示すように、ケース５０の内部には、マイクロ波発生器の一種でマイクロ波を発生するマグネトロン６１と、マグネトロン６１から出力されたマイクロ波を伝送する導波管６３と、マグネトロン６１に高圧の電力を提供する高電圧発生器６５と、電球６８を回転させると共に冷却する電球モータ６６とが備えられる。
【００３１】
ここで、導波管６３は、ケース５０の内部中央に位置し、導波管６３の両側にはマグネトロン６１と高電圧発生器６５がそれぞれ位置し、導波管６３の後方には電球モータ６６が位置する。
【００３２】
ケース５０の前方には、前記マイクロ波により光を発生する電球６８と、マイクロ波は遮断し光は通過させるメッシュスクリーン７０と、電球６８から発生した光を前方に反射させる反射鏡７２とが備えられる。
【００３３】
ケース５０の後方には、マグネトロン６１、高電圧発生器６５、電球モータ６６などの発熱部品を冷却するための送風装置８０が備えられる。
【００３４】
送風装置８０は、外部空気がケース５０の内部に流入する通路となるファンハウジング８１と、ファンハウジング８１の内部に備えられるファン８３と、ファン８３を回転駆動させるファンモータ８５とから構成される。
【００３５】
ファンハウジング８１の前方中央部には吸入口８１ａが形成され、吸入口８１ａの内側にはファン８３が位置する。また、ファンハウジング８１は、マグネトロン６１側と高電圧発生器６５側とにそれぞれ空気を吐出するための第１吐出口８１ｂと第２吐出口８１ｃとを有する。
【００３６】
ここで、マグネトロン６１が高電圧発生器６５より相対的に高熱を発生するので、マグネトロン６１と電球モータ６６が位置する側に、より多くの吐出量を提供するために、第１吐出口８１ｂの断面積Ｓ１が第２吐出口８１ｃの断面積Ｓ２より大きく形成される。
【００３７】
好ましくは、第１吐出口８１ｂと第２吐出口８１ｃとの断面積比が約６：４となるように構成する。
【００３８】
このようなファンハウジング８１の第１及び第２吐出口８１ｂ、８１ｃには、マグネトロン６１、高電圧発生器６５などの発熱部品側に吐出空気を案内する延長ダクト９０、９１がそれぞれ延設される。
【００３９】
延長ダクト９０、９１のうち、第１吐出口８１ｂからマグネトロン６１側に延設される延長ダクト９０は、マグネトロン６１と電球モータ６６をそれぞれ集中冷却できるように、第１排出口９６ａと第２排出口９７ａとからなる分配ダクト９５である。
【００４０】
また、マグネトロン６１をさらに集中冷却するために、分配ダクト９５の排出口９６ａ、９７ａのうち、マグネトロン６１に空気を集中排出する第１排出口９６ａが、電球モータ６６に空気を集中排出する第２排出口９７ａより大きく形成される。
【００４１】
即ち、分配ダクト９５は、相対的に排出流量を多くするために、第１排出口９６ａを有する主配管９６と、主配管９６から分岐され、第２排出口９７ａを有する分岐配管９７とからなる。
【００４２】
一方、ケース５０の前面には、マグネトロン６１などの発熱部品を冷却させた空気が排出されるケース排出口５０ａが形成され、ケース排出口５０ａには、ケース５０の側面方向に排出空気を案内するようにラウンド状の排出案内部材５５が形成される。
【００４３】
一方、ファンハウジング８１の内部に備えられたファン８３は、シロッコファン、軸流ファンなど、設計条件によってその種類を選択して設置することができる。また、第１実施形態においては、ファンハウジング８１に延長ダクト９０、９１が一体に形成されたものを示したが、必要によっては分離された構造で構成することもできる。
【００４４】
また、ファンハウジング８１の吐出口８１ｂ、８１ｃ、延長ダクト９０、９１及び分配ダクト９５の個数及び方向は、ケース５０の内部に配設される発熱部品の位置によって異ならせて構成することができる。
【００４５】
以下、このように構成された本発明に係るプラズマ照明装置の冷却構造の第１実施形態の作用を説明する。
【００４６】
高電圧発生器６５から昇圧された高圧がマグネトロン６１に供給されると、マグネトロン６１は、マイクロ波を生成して導波管６３を通してメッシュスクリーン７０の内部に放射し、電球６８の内部に封入された物質がマイクロ波により放電しつつ光を発生して照明空間を照らす。
【００４７】
また、高電圧発生器６５と共に電球モータ６６とファンモータ８５も同時に動作するが、電球モータ６６は、電球６８を回転させると共に冷却し、ファンモータ８５は、ファン８３を回転させると共に、ケース５０外部の空気をケース５０の内部に流入させてマグネトロン６１、高電圧発生器６５、電球モータ６６及びファンモータ８５などの発熱部品を冷却する。
【００４８】
一方、ファン８３が駆動されることによって、ファンハウジング８１の吸入口８１ａから流入した外部空気は、第１吐出口８１ｂと第２吐出口８１ｃを経てそれぞれ延長ダクト９０を通ってマグネトロン６１、電球モータ６６及び高電圧発生器６５を集中冷却する。
【００４９】
ここで、第１吐出口８１ｂが第２吐出口８１ｃより断面積が大きいため、マグネトロン６１及び電球モータ６６に向かう分配ダクト９５側により多くの外部空気が提供され、特に、分配ダクト９５が２つの排出口９６ａ、９７ａに分けられているため、マグネトロン６１と電球モータ６６に外部空気が集中的に供給される。
【００５０】
このように相対的に高熱を発生するマグネトロン６１側により多くの外部空気を提供すると共に、マグネトロン６１及び電球モータ６６などの特定部品に集中するように分配構造を形成することにより、ケース５０内部の発熱部品をより効果的に集中冷却することができる。
【００５１】
従って、本発明は、過熱する発熱部品や相対的に発熱部品が多く位置する側により多くの外部空気を提供するように形成されることによって、冷却が効果的に行われて部品の耐久寿命が延長し、機器の信頼性を高めることができる。
【００５２】
このように、ケース５０内部の部品を冷却させた空気は、ケース５０の前面に形成されたケース排出口５０ａから外部に排出される。このとき、ケース排出口５０ａの前方に備えられた排出案内部材５５により排出空気がケース５０外部の側面方向に排出される。
【００５３】
以下、本発明の他の実施形態について説明する。前述の第１実施形態の構成と同一又は類似の構成要素には、同一符号を付してその説明を省略する。
【００５４】
図３は、本発明に係るプラズマ照明装置の冷却構造の第２実施形態を示す縦断面図で、図４は、図３におけるケースのＡ−Ａ線断面図である。
【００５５】
前述の第１実施形態がケース５０の前方へ空気を排出するように構成された反面、本発明の第２実施形態は、ケース５０の後方へ空気を排出するように構成される。
【００５６】
即ち、第２実施形態のケース５０は、内部ケース５１と外部ケース５２とからなる二重円筒構造を有し、内部ケース５１の前方に外部ケース５２に連通する排出流路５０ｂが形成され、外部ケース５２の後面に空気が外部に排出される排出口５２ａが形成される。
【００５７】
従って、ファンハウジング８３により内部ケース５１の内部に流入した外部空気は、内部ケース５１内部のマグネトロンなどの発熱部品を冷却した後、内部ケース５１の排出流路５０ｂを通って外部ケース５２の内部に流動した後、外部ケース５２の後面の排出口５２ａから外部に排出される。
【００５８】
一方、外部ケース５２の排出口５２ａには、虫などの異物が流入しないように防虫網などが設けられることが好ましい。
【００５９】
このような本発明の第２実施形態は、ケース５０の後方へ冷却空気を排出することにより、使用者の利便性を向上させると共に、外部ケース５２からなる排出通路を備えることにより、流路抵抗を伴うことなく、円滑な空気排出構造を確保することができる。
【００６０】
図５は、本発明に係るプラズマ照明装置の冷却構造の第３実施形態を示す縦断面図で、図６は、図５におけるケースのＢ−Ｂ線断面図である。
【００６１】
前述の第２実施形態は、二重ケース構造からなり、排出空気をケースの後方へ排出するように構成されているが、本発明の第３実施形態は、ケース５０の外側面に前後方向に長く連結された排出ダクト５６を通してケース５０の後方へ空気を排出するように構成される。
【００６２】
即ち、排出ダクト５６は、ケース５０の両側に２つ備えられ、ケース５０の前後方向に長く連結されて、ケース５０の内部を通過した空気を排出ダクト５６の排出口５６ａを通して後方へ排出する。
【００６３】
また、ケース５０は、排出ダクト５６の前方部分に連通する第１排出口５０ｂと、排出ダクト５６の中間部分に連通する第２排出口５０ｃとを有する。
【００６４】
ここで、ケース５０の第１排出口５０ｂは、完全に開放された構造を有し、第２排出口５０ｃは、ケース５０の一部を切削した後に折曲して開放させた複数のホールからなるグリル構造を有する。また、ケース５０の第２排出口５０ｃは、排出方向が排出ダクト５６の排出口５６ａ側となるように形成することが好ましい。
【００６５】
このような本発明に係るプラズマ照明装置の冷却構造の第３実施形態は、ケース５０の構成を簡単にすると共に、ケース５０の第１及び第２排出口５０ｂ、５０ｃを通して、流路抵抗を最小化した状態でケース５０の内部を通過した空気を容易に外部に排出することができる。
【００６６】
図７は、本発明の第４実施形態によるケースの横断面図である。
【００６７】
本発明に係る第４実施形態は、前述の第３実施形態の構成と類似した構成であるが、外部に空気を排出できるように、排出ダクト５６の側面に追加排出口５６ｂがさらに形成される。
【００６８】
追加排出口５６ｂは、前述の第３実施形態におけるケース５０の第２排出口５０ｃと類似したグリル構造を有するように形成することが好ましい。
【００６９】
このような本発明に係る第４実施形態は、排出ダクト５６の排出通路を拡大して流路抵抗を最小化することにより、より容易に空気を排出することができる。
【００７０】
図８は、本発明に係るプラズマ照明装置の冷却構造の第５実施形態を示す縦断面図で、図９は、図８におけるケースのＣ−Ｃ線断面図である。
【００７１】
本発明の第５実施形態は、前述の第３実施形態の構成と類似した構成であり、ケース５０の外側面に前後方向に長く連結された排出ダクト５６を通して、ケース５０の後方に空気を排出するように構成される。
【００７２】
但し、排出ダクト５６の内部には、ケース５０の外側面から突出した放熱フィン５８が備えられる。放熱フィン５８は、排出空気の流路方向に長く形成するか、又は排出空気の流路方向と直交する方向に長く形成することができる。また、放熱フィン５８の形状及び配置は、設計条件や必要によって多様に変更することができる。
【００７３】
このような本発明の第５実施形態においては、ケース５０の内部から発生した熱の一部が放熱フィン５８を通して伝達され、排出ダクト５６から排出される空気が放熱フィン５８に接触することにより、空気との接触面積が拡大されて全体的なシステムの冷却効率が高くなる。
【００７４】
図１０は、本発明の第６実施形態によるケースの横断面図である。
【００７５】
前述の第３、第４及び第５実施形態は、ケース５０の外側面に２つの排出ダクト５６が形成された構造を有する反面、本発明の第６実施形態は、ケース５０の外側面に４つの排出ダクト５６が形成される構造を有する。
【００７６】
４つの排出ダクト５６は、ケース５０の円周面に等間隔に位置し、本実施形態においては、４つに構成されているが、これに限定されず、設計条件によってその個数を多様に変更することができる。
【００７７】
特に、ケース５０の外側面には、ケース５０内部の熱を容易に放熱することができるように、複数の放熱フィン５９が形成されるが、排出ダクト５６が形成されていないケース５０の外側面に形成されることが好ましい。
【００７８】
このように構成された本発明の第６実施形態は、排出ダクト５６を４つ形成することにより空気の排出抵抗を減らすことができ、ケース５０の外側面に複数の放熱フィン５９を形成することにより冷却効率を高めることができる。
【産業上の利用可能性】
【００７９】
このような本発明に係るプラズマ照明装置の冷却構造は、内蔵部品の発熱程度や設計条件によって吐出流量が異なるように設定されるため、ファンの容量を拡大することなく、マグネトロンなどの高熱発生部品を効果的に集中冷却して発熱部品の寿命を延長し、システムの全体的な性能を向上させることができるという利点がある。
また、本発明は、ケース内部の発熱部品を冷却させた空気が該ケースの後方に排出されるように構成されるため、照明空間内に熱くなった空気が排出されず、これにより、使用者に不快感を与えることなく、使用の利便性を高めることができるという利点がある。
【図面の簡単な説明】
【００８０】
【図１】図１は、従来のプラズマ照明装置を示す縦断面図である。
【図２】図２は、本発明に係るプラズマ照明装置の冷却構造の第１実施形態を示す縦断面図である。
【図３】図３は、本発明に係るプラズマ照明装置の冷却構造の第２実施形態を示す縦断面図である。
【図４】図４は、図３におけるケースのＡ−Ａ線断面図である。
【図５】図５は、本発明に係るプラズマ照明装置の冷却構造の第３実施形態を示す縦断面図である。
【図６】図６は、図５におけるケースのＢ−Ｂ線断面図である。
【図７】図７は、本発明の第４実施形態によるケースの横断面図である。
【図８】図８は、本発明に係るプラズマ照明装置の冷却構造の第５実施形態を示す縦断面図である。
【図９】図９は、図８におけるケースのＣ−Ｃ線断面図である。
【図１０】図１０は、本発明の第６実施形態によるケースの横断面図である。
【図１】
2006511043.tif 000003
【図２】
2006511043.tif 000004
【図３】
2006511043.tif 000005
【図４】
2006511043.tif 000006
【図５】
2006511043.tif 000007
【図６】
2006511043.tif 000008
【図７】
2006511043.tif 000009
【図８】
2006511043.tif 000010
【図９】
2006511043.tif 000011
【図１０】
2006511043.tif 000012
【国際調査報告】
2006511043.tif 000013
2006511043.tif 000014